(57)【要約】【課題】接顔部を顔面へ安定的に固定することが可能なフェイスマスクを提供すること。【解決手段】接顔部２０と、その横方向Ｘの左右側部の位置に、接顔部２０の縦方向Ｙに沿って２個ずつ取り付けられた耳掛け部３０ａ〜３０ｄとを有するフェイスマスク１０である。各耳掛け部３０ａ〜３０ｄは、シート材に、横方向Ｘへ延びる切り込み３１又は開口部３３が設けられて構成されている。各耳掛け部３０ａ〜３０ｄは、接顔部２０の横方向Ｘの中央側に向けて傾斜した線状の接合部４０ａ〜４０ｄによって接顔部２０に取り付けられている。【選択図】図１
2010259654.tif 000002
【特許請求の範囲】
【請求項１】
顔全面を覆うに足る大きさの接顔部と、該接顔部の横方向Ｘの左右側部の位置に、該接顔部の縦方向Ｙに沿って２個ずつ取り付けられた耳掛け部とを有するフェイスマスクであって、
各耳掛け部は、シート材に、横方向Ｘへ延びる切り込み又は開口部が設けられて構成されており、
各耳掛け部は、接顔部の横方向Ｘの中央側に向けて傾斜した線状の接合部によって接顔部に取り付けられているフェイスマスク。
【請求項２】
顔全面を覆うに足る大きさの接顔部と、該接顔部の横方向Ｘの左右側部の位置に、該接顔部の縦方向Ｙに沿って２個ずつ取り付けられた耳掛け部とを有するフェイスマスクであって、
各耳掛け部は２つの端部を有する紐状体からなり、
各耳掛け部は、紐状体の各端部と接顔部とを接合する２つの接合部を結ぶ仮想線が、接顔部の横方向Ｘの中央側に向けて傾斜するように、接顔部に取り付けられているフェイスマスク。
【請求項３】
各耳掛け部を接顔部の横方向Ｘに広げた状態で、各耳掛け部に設けられている切り込み又は開口部の延びる方向が横方向Ｘに対して傾斜しており、
傾斜の方向が、切り込み又は開口部の２つの端部のうち、横方向Ｘの外側に位置する端部側の仮想延長線が、接顔部の横中心線に近づく方向である請求項１記載のフェイスマスク。
【請求項４】
接顔部の縦方向Ｙに延びる各側縁が、縦中心線ＣYに向けて湾曲した形状になっている請求項１ないし３のいずれかに記載のフェイスマスク。
【請求項５】
接顔部の縦中心線ＣYに沿って、該接顔部の略中央部に、着用者の鼻梁を露出させるための切り込み又は開口部が設けられている請求項１ないし４のいずれかに記載のフェイスマスク。
【請求項６】
接顔部が発熱機能を具備している請求項１ないし５のいずれかに記載のフェイスマスク。
【請求項７】
接顔部が、着用者の肌の健康状態を高め得る薬剤又は化粧料を含んでいる請求項１ないし６のいずれかに記載のフェイスマスク。
【発明の詳細な説明】
【技術分野】
【０００１】
本発明は、着用者の顔全体を覆うフェイスマスクに関する。
【背景技術】
【０００２】
美容の目的やリラックス感を得る目的で、顔全体を覆うマスクが種々提案されている。例えば特許文献１には、重畳されたシート材を、人の顔面部分の側面視において、額の上部から鼻下を経て顎先まで至る形状に沿うように凹凸線状に接合した立体フェイスマスクが記載されている。このフェイスマスクは、化粧水を含浸させて用いられるものである。このフェイスマスクには、各シート材における耳元の周辺の外周部に、フェイスマスクを顔面に固定させるための帯状の着用ベルトが２本取り付けられている。２本の着用ベルトには、それらの先端にメカニカルファスナが取り付けられている。このメカニカルファスナを係合させることで、着用者の後頭部において両着用ベルトを固着させている。
【０００３】
また、顔面皮膚の表面水分の乾燥を防ぐ美容目的で顔面マスクを固定する方法として、特許文献２には、顔面形の薄いガーゼ状布の左右に細い弾力性ゴム紐を二重に設けた、着脱容易な顔面マスクが提案されている。
【０００４】
前記の各技術とは別に、本出願人も顔全体を覆うマスクを提案している（特許文献３参照）。このフェイスマスクは、発熱体の酸化反応で生じる熱によって発生する水蒸気を顔面に付与するために用いられるものである。このフェイスマスクは、その左右両側縁から側方にそれぞれ延出する一対の耳掛け部を有している。
【先行技術文献】
【特許文献】
【０００５】
【特許文献１】特開２００７−３３０３２９号公報
【特許文献２】特開２００８−１４９０９０号公報
【特許文献３】特開２００６−３１４６１８号公報
【発明の概要】
【発明が解決しようとする課題】
【０００６】
口及び鼻を覆う通常のマスクと異なり、顔全体を覆うフェイスマスクはその形状が大きなものとなる。したがって、フェイスマスクを顔全体に固定する場合、上述した帯状の着用ベルトや一対の耳掛け部を用いたのでは、安定的な固定を行うことができない場合がある。
【０００７】
したがって本発明は、従来技術よりも顔面へ安定固定することが可能なフェイスマスクを提供するものである。
【課題を解決するための手段】
【０００８】
本発明は、顔全面を覆うに足る大きさの接顔部と、該接顔部の横方向Ｘの左右側部の位置に、該接顔部の縦方向Ｙに沿って２個ずつ取り付けられた耳掛け部とを有するフェイスマスクであって、
各耳掛け部は、シート材に、横方向Ｘへ延びる切り込み又は開口部が設けられて構成されており、
各耳掛け部は、接顔部の横方向Ｘの中央側に向けて傾斜した線状の接合部によって接顔部に取り付けられているフェイスマスクを提供するものである。
【０００９】
また本発明は、顔全面を覆うに足る大きさの接顔部と、該接顔部の横方向Ｘの左右側部の位置に、該接顔部の縦方向Ｙに沿って２個ずつ取り付けられた耳掛け部とを有するフェイスマスクであって、
各耳掛け部は２つの端部を有する紐状体からなり、
各耳掛け部は、紐状体の各端部と接顔部とを接合する２つの接合部を結ぶ仮想線が、接顔部の横方向Ｘの中央側に向けて傾斜するように、接顔部に取り付けられているフェイスマスクを提供するものである。
【発明の効果】
【００１０】
本発明によれば、接顔部の左右の側部に２個ずつの耳掛け部を取り付け、かつ各耳掛け部を所定の方向に傾斜させて取り付けたので、接顔部を顔面に密着させる力が作用しやすくなり、接顔部を顔面へ安定的に固定することが可能となる。
【図面の簡単な説明】
【００１１】
【図１】図１は、本発明のフェイスマスクの一実施形態を示す平面図である。
【図２】図２は、線上の接合部と縦方向Ｙとのなす角度を示す図である。
【図３】図３（ａ）及び（ｂ）は、それぞれ左右に設けられた第１の耳掛け部及び第２の耳掛け部に設けられた切り込みと横方向Ｘとのなす角度を示す図である。
【図４】図４は、耳掛け部を広げる前の状態にある図１に示すフェイスマスクの平面図である。
【図５】図５は、図４に示す状態のフェイスマスク１０を使用する状態を示す図である。
【図６】図６（ａ）ないし（ｄ）は、図１に示すフェイスマスク１０を装着する手順を示す図である。
【図７】図７は、耳掛け部の別の実施形態を示す図である。
【図８】図８（ａ）〜（ｄ）はそれぞれ、フェイスマスクの別の実施形態を示す図である。
【図９】図９は、接顔部の別の実施形態を示す図である。
【図１０】図１０は、本発明のフェイスマスクの一実施形態の分解斜視図である。
【図１１】図１１は、図１０における発熱体の構造を示す一部破断斜視図である。
【図１２】図１２は、本発明のフェイスマスクの他の実施形態を示す平面図（図１相当図）である。
【図１３】図１３（ａ）及び（ｂ）は、フェイスマスクの別の実施形態を示す図である（図１及び図４相当図）。
【図１４】図１４は、フェイスマスクの別の実施形態を示す図である（図１相当図）。
【発明を実施するための形態】
【００１２】
以下本発明を、その好ましい実施形態に基づき図面を参照しながら説明する。図１に示す実施形態のフェイスマスク１０は、接顔部２０を有している。接顔部２０は、横方向Ｘ及び縦方向Ｙを有する薄型の部材から構成されている。平面視において接顔部２０は横方向Ｘに延びる上縁２０ａ及び下縁２０ｂ並びに縦方向Ｙに延びる側縁２０ｃ，２０ｄを有する略矩形をしている。接顔部２０は、その縦中心線ＣYに関して対称形になっている。同様に接顔部２０は、その横中心線ＣXに関しても対称形になっている。
【００１３】
接顔部２０は顔全面を覆うに足る大きさを有している。一般に、縦方向に関しては上側が少なくとも眉の上を超えて額までの間の領域、下側は少なくとも下唇を覆う位置から顎までの間の領域、横方向に関しては、左右の頬間の領域を覆う大きさを有していれば、顔全面を覆うといってよい。
【００１４】
上縁２０ａ及び下縁２０ｂは、その横方向中心線ＣXに対してそれぞれ上下方向に向けて緩やかな凸形状を描くような曲線をしている。一方、左右の側縁２０ｃ，２０ｄは、縦中心線ＣYに向けて緩やかな凸形状を描くように湾曲している。その結果、接顔部２０は、略矩形であって、かつくびれ形状を有したものとなっている。接顔部２０の具体的な大きさとしては、縦方向Ｙの長さは、上縁２０ａと下縁２０ｂの各凸形状に接し、横中心線ＣXに平行な上縁接線（図示せず）及び下縁接線（図示せず）を引いたとき、両接線間の距離が１３０〜２５０ｍｍであることが好ましく、特に１３０〜２２０ｍｍであることが好ましい。また、横方向Ｘの幅に関しては、両側縁２０ｃ、２０ｄの外側に接し、縦中心線ＣYに平行な両側縁の接線（図示せず）を引いたとき、両接線間の距離が１１０〜３００ｍｍであることが好ましく、特に１５０〜２５０ｍｍであることが好ましい。一方、両側縁は縦中心線ＣYに向けて緩やかな凸形状なので、各側縁２０ｃ、２０ｄの内側接線（図示せず）を引いたとき、両接線間の距離が１００〜１８０ｍｍであることが好ましい。更に、側縁２０ｃ、２０ｄにおいて、前記の外側接線と凸形状の内側接線との距離、すなわち凸形状の湾曲（くびれ形状）の幅は、５〜３０ｍｍであることが好ましい。
【００１５】
更に接顔部２０には、縦中心線ＣYに沿って、該接顔部２０の略中央域に、所定の長さの直線状切り込み２１が設けられている。この切り込み２１は、後述するように、接顔部２０を着用者の顔面に当接させたときに、着用者の鼻梁及び鼻孔を露出させ、息苦しさを低減させるために設けられている。
【００１６】
接顔部２０の横方向Ｘの左右の側部の位置には、縦方向に沿って２個ずつ計４個の耳掛け部３０ａ〜３０ｄが取り付けられている。詳細には、図１における紙面に向かって左側部に、第１耳掛け部３０ａと第２耳掛け部３０ｂが、側縁２０ｃの縦方向Ｙに沿って取り付けられている。２つの耳掛け部は、それらのうち、第１耳掛け部３０ａが、接顔部２０の上縁２０ａ寄りに位置し、第２耳掛け部３０ｂが、接顔部２０の下縁２０ｂ寄りに位置している。また、同図における紙面に向かって右側部の側縁２０ｄに、第１耳掛け部３０ｃと第２耳掛け部３０ｄが、縦方向Ｙに沿って取り付けられている。２つの耳掛け部は、それらのうち、第１耳掛け部３０ｃが、接顔部２０の上縁２０ａ寄りに位置し、第２耳掛け部３０ｄが、接顔部２０の下縁２０ｂ寄りに位置している。
【００１７】
縦中心線ＣYに関し、左側部の第１耳掛け部３０ａと右側部の第１耳掛け部３０ｃとは対称の位置に取り付けられている。同様に、縦中心線ＣYに関し、左側部の第２耳掛け部３０ｂと右側部の第２耳掛け部３０ｄとは対称の位置に取り付けられている。２つの第１耳掛け部３０ａ，３０ｃは同形であり、２つの第２耳掛け部３０ｂ，３０ｄも同形である。また、図１では、第１耳掛け部と第２耳掛け部とも同形である。
【００１８】
各耳掛け部はいずれも、横長のシート材から構成されている。このシート材には、縦方向Ｙの略中心部の位置に、横方向Ｘへ延びる所定長さの直線状切り込み３１が設けられている。この切り込み３１は、シート材に開口を形成してループ状となし、着用者の耳に引っかけるようにするために設けられている。シート材としては、不織布等の繊維材料からなる繊維シートを用いることが、肌触りや経済性の観点から好ましい。この繊維シートは伸縮性を有していることが特に好ましい。
【００１９】
切り込み３１における２つの端部のうち、横方向Ｘの外側に位置している端部の位置には、該端部に連結する円弧状切り込み３２が設けられている。円弧状切り込み３２は、その凹部側が接顔部２０の側を向き、かつ凸部側が横方向Ｘの外側を向くように設けられている。円弧状切り込み３２は、直線状切り込み３１によって形成される開口を更に大きくして、ループ内に着用者の耳を一層通しやすくするために設けられている。なお本実施形態では、図１に示すように、直線状切り込み３１の外側の端部に形成される切り込みが円弧状であるが、着用者の耳への通しやすさが得られるのであれば、円弧状に代えて直線状や矢印状の切り込みを設けても構わない。
【００２０】
各耳掛け部３０ａ〜３０ｄは、線状の接合部４０ａ〜４０ｄによって接顔部２０に取り付けられている。図１において接合部４０ａ〜４０ｄは、網がけの模様で示されている。本実施形態のフェイスマスク１０は、接顔部２０に対する各耳掛け部の取り付け角度に特徴の一つを有している。詳細には、以下のとおりである。各耳掛け部の接顔部２０への接合位置は、接顔部２０の各側縁２０ｃ，２０ｄの位置である。そして、線状の各接合部４０ａ〜４０ｄはいずれも、接顔部２０における横方向Ｘの中央側に向けて傾斜するように形成されている。ここで「横方向Ｘの中央側に向けて傾斜」とは、線状の接合部４０ａ〜４０ｄが、接顔部２０の縦方向Ｙに対して、横方向Ｘの中央側に向けて傾斜していることを意味し、線状の接合部４０ａ〜４０ｄの仮想延長線の交点（接合部４０ａと４０ｂ、４０ｃと４０ｄ）が、後述の横中心線ＣXを必ず通ることを意味するものではない。
【００２１】
線状の各接合部４０ａ〜４０ｄが、いずれも接顔部２０における横方向Ｘの中央側、すなわち縦中心線ＣYに向けて傾斜するように形成されているので、接合部４０ａの仮想延長線と、接合部４０ｂの仮想延長線とは、必ず接顔部２０上のいずれかの位置において交差することになる（図１に示す実施形態では、接顔部２０の側縁２０ｃ上で交差している）。接合部４０ｃの仮想延長線と、接合部４０ｄの仮想延長線についても同様である。なお、各接合部４０ａ〜４０ｄが線状であるとは、直線状であることを必ずしも要せず、一方向に延びる形状であれば、波線状、曲線状等でもよく、例えば図１の網掛けされた部分が、線状とみなせる程度の長さを有し、一方向に延びていればよい。
【００２２】
本実施形態のフェイスマスクでは、接合部４０ａが接顔部２０の縦方向Ｙとなす角度と、接合部４０ｃが接顔部２０の縦方向Ｙとなす角度とは同じになっていることが好適である。同様に、接合部４０ｂが接顔部２０の縦方向Ｙとなす角度と、接合部４０ｄが接顔部２０の縦方向Ｙとなす角度も同じになっていることが好適である。また、接合部４０ａが接顔部２０の縦方向Ｙとなす角度と、接合部４０ｂが接顔部２０の縦方向Ｙとなす角度とは、同じでもよく、あるいは異なっていてもよい。接合部４０ｃと接合部４０ｄについても同様である。
【００２３】
以上のとおり、本実施形態のフェイスマスク１０は、耳掛け部を４個有しているので、いわゆる４点どめであり、背景技術の項で述べた従来型（例えば特許文献１及び２等に記載）の２点どめのフェイスマスクに比較して、接顔部２０を安定的に着用者の顔面へ固定することができる。そのうえ４個の耳掛け部３０ａ〜３０ｄは、接顔部２０の縦方向Ｙに対して所定の角度をなすように取り付けられているので、各耳掛け部を着用者の耳に引っかけたときに、接顔部２０を着用者の顔面に引きつけて密着させる力が作用しやすくなる。更に、図１に示すように耳掛け部３０ａ〜３０ｄがシート状であると、接顔部２０と各耳掛け部３０ａ〜３０ｄとの接合部をそれぞれ線状に形成することができるので、フェイスマスク１０の装着時に、接顔部２０の側縁２０ｃ，２０ｄを均一に引っ張ることが可能であり、側縁２０ｃ，２０ｄにおいてで耳掛け部３０ａ〜３０ｄが直接接合している部分と、接合していない部分との間に発生する接顔部２０のしわや浮きを緩和できる。その結果、接顔部２０を顔面へ安定的に固定することが可能となる。なお、図１に示す耳掛け部３０ａ〜３０ｄはシート状であるが、線状の接合部を形成する観点からは、耳掛け部３０ａ〜３０ｄは幅のあるテープ状であってもよく、例えばバイヤステープや平織り紐等、伸長収縮性を有するものを使用できる。
【００２４】
接顔部２０を顔面へ一層安定的に固定する観点から、図２に示すように、第１耳掛け部３０ａ，３０ｃの接合部である接合部４０ａ，４０ｃが縦方向Ｙとなす角度θ1は、５〜６０度、特に１０〜４５度であることが好ましい。同様の理由により、第２耳掛け部３０ｂ，３０ｄの接合部である接合部４０ｂ，４０ｄが縦方向Ｙとなす角度θ2は、５〜６０度、特に１０〜４５度であることが好ましい。
【００２５】
各接合部４０ａ〜４０ｄは、接顔部２０の各側縁２０ｃ，２０ｄに沿って形成されている。そして各側縁２０ｃ，２０ｄは、上述したとおり縦方向Ｙの中心域がくびれるように湾曲している。ここで、縦方向Ｙの中心域は、フェイスマスク１０の装着時に横方向Ｘに並行する仮想線が鼻梁から鼻孔を通過する範囲であって、例えば図１の横中心線ＣXの上下±３ｃｍ程度の範囲である。接合部４０ａと４０ｂ、及び４０ｃと４０ｄは、それぞれくびれの最狭部を挟み各側縁の上下に位置している。その結果、フェイスマスク１０を装着するときに、接顔部２０が舟形の立体形状に変形しやすくなり、接顔部２０と顔面との密着性が良好になる。また各耳掛け部３０ａ〜３０ｄが、接顔部２０を着用者の顔面に引きつける力が一層作用しやすくなる。
【００２６】
図１に示すように、フェイスマスク１０においては、各耳掛け部３０ａ〜３０ｄを接顔部２０の横方向Ｘに広げた状態でみたとき、各耳掛け部３０ａ〜３０ｄに設けられている切り込み３１の延びる方向が、接顔部２０の横方向Ｘに対して傾斜している。傾斜の方向は、切り込み３１の２つの端部のうち、横方向Ｘの外側に位置する端部側の仮想延長線が、接顔部２０の横中心線ＣXに近づくような方向である。切り込み３１がこのような向きで傾斜していることによって、各耳掛け部３０ａ〜３０ｄを耳に掛けた場合に、各耳掛け部が、接顔部２０を着用者の顔面に引きつける力が一層作用しやすくなる。この作用を一層顕著なものとする観点から、図３（ａ）に示すように、第１耳掛け部３０ａ，３０ｃの切り込み３１ａ、３１ｃが横方向Ｘとなす角度θaは、５〜６０度、特に１０〜４５度であることが好ましい。同様の理由により、図３（ｂ）に示すように、第２耳掛け部３０ｂ，３０ｄの切り込み３１ｂ、３１ｄが横方向Ｘとなす角度θbは、５〜６０度、特に１０〜４５度であることが好ましい。
【００２７】
図４には、図１のフェイスマスク１０の使用前の状態が示されている。同図は、フェイスマスク１０をその肌対向面側からみた状態を示している。フェイスマスク１０の使用前の状態においては、各耳掛け部３０ａ〜３０ｄが、接顔部２０の肌対向面上に位置している。かつ対向する一対の第１耳掛け部３０ａ，３０ｃは、それらの横方向Ｘの外側縁が突き合わせ状態になっている。両者の突き合わせ部には、縦方向Ｙに延びるミシン目３２ａが形成されている。このミシン目３２ａによって一対の第１耳掛け部３０ａ，３０ｃは切離可能になっている。対向する一対の第２耳掛け部３０ｂ，３０ｄについても同様であり、それらの横方向Ｘの外側縁が突き合わせ状態になっており、縦方向Ｙに延びるミシン目３２ｂによって切離可能に連結している。
【００２８】
一対の第１耳掛け部３０ａ，３０ｃは、図１の状態から上述した接合部４０ａ，４０ｃを折り返し線として、接顔部２０の横方向Ｘの中央側に折り曲げると、該第１耳掛け部３０ａ，３０ｃの上縁が、接顔部２０の上縁２０ａと一致するようになっている。一方、一対の第２耳掛け部３０ｂ，３０ｄに関しては、接合部４０ｂ，４０ｄを折り返し線として、接顔部２０の横方向Ｘの中央側に折り曲げると、該第２耳掛け部３０ｂ，３０ｄの下縁が、接顔部２０の下縁２０ｂと一致するようになっている。その結果、フェイスマスク１０は、その使用前の状態における平面視での形状が、接顔部２０の平面視での形状と一致しており、耳掛け部３０ａ〜３０ｄはいずれも、接顔部２０の周縁部から外方にはみ出ていない。各耳掛け部がこのような形状を有していることで、フェイスマスク１０の製造時に接顔部２０及び各耳掛け部３０ａ〜３０ｄを同時に切断して形成できる利点がある。また、使用前の状態において、接顔部２０の肌対向面が各耳掛け部によって保護されて清浄な状態を保持できるという利点もある。更に、各耳掛け部３０ａ〜３０ｄが接顔部２０の周縁部から外方にはみ出ていない構成にすることで、フェイスマスク２０を出荷するときの包装工程において、各耳掛け部３０ａ〜３０ｄを閉じ、かつ場合によっては接顔部２０を縦中心線及び／又は横中心線に沿って二つ折りにした状態で包装できるので、包装が容易であるという利点もある。
【００２９】
図５には、図４に示す状態（使用前の状態）のフェイスマスク１０を使用するときの状態が示されている。同図に示すように、接顔部２０の肌対向面上に位置し、かつ互いに連結している一対の第１耳掛け部３０ａ，３０ｃを、それらの突き合わせ部に形成されたミシン目３２ａに沿って切離し、接合部４０ａ，４０ｃを折り返し線として、横方向Ｘの外側に向け、かつ縦方向Ｙの下方に傾斜して展開する。一対の第２耳掛け部３０ｂ，３０ｄについても同様の操作を行い、これらを横方向Ｘの外側に向け、かつ縦方向Ｙの上方に傾斜して展開させる。これらの操作を行うことで、フェイスマスク１０は、先に説明した図１に示す展開状態となる。
【００３０】
図６（ａ）〜（ｄ）には、図５に示す操作によって各耳掛け部３０ａ〜３０ｄが横方向Ｘに展開されたフェイスマスク１０を着用者の顔面に装着する手順が示されている。まず図６（ａ）に示すように、接顔部２０を手で支えつつ、該接顔部２０の肌対向面を顔面に当接させる。更に、接顔部に形成されている直線状切り込み２１を開いて、該切り込み２１内に鼻を通す。
【００３１】
次に図６（ｂ）に示すように、４つある耳掛け部のうち、縦方向Ｙにおける上側に位置する一対の第１耳掛け部３０ａ，３０ｃを各耳に掛ける。この状態では、一対の第２耳掛け部３０ｂ，３０ｄは、まだ耳に掛けられていない状態にある。
【００３２】
次に、図６（ｃ）に示すように、残り２つの耳掛け部、すなわち縦方向Ｙにおける下側に位置する一対の第２耳掛け部３０ｂ，３０ｄを各耳に掛ける。このようにして、図６（ｄ）に示す装着状態が完成する。同図に示す装着状態においては、各耳では、第１の耳掛け部３０ａ，３０ｃが下側に位置し、その上に第２の耳掛け部３０ｃ，３０ｄが位置している。第１及び第２耳掛け部がこのような位置関係で耳に掛けられていることで、接顔部２０の引き上げ効果の高い耳掛け部である第２の耳掛け部３０ｂ，３０ｄによる引き上げ力が効果的に作用するようになる。その結果、接顔部２０の顔面への密着性が一層良好になる。
【００３３】
図７には、耳掛け部の別の実施形態が示されている。なお同図に示す耳掛け部は第１耳掛け部３０ａのみであるが、残り３つの耳掛け部についても同様の構成になっている。先に説明した実施形態においては、耳掛け部を構成するシート材に切り込み３１を入れて該シート材に開口を形成したが、本実施形態においては、シート材をくり抜いて開口部３３を形成している。開口部３３は、縦方向Ｙの略中心部の位置において、横方向Ｘへ延びている。開口部３３の延びる方向は、接顔部２０の横方向Ｘに対して傾斜している。傾斜の方向は、開口部３３の横方向Ｘの２つの端部のうち、外側（後述の外側縁部３３ｃ）に位置する端部側の仮想延長線が、接顔部２０の横中心線に近づくような方向である。なお、開口部３３の仮想延長線は、円弧状の外側縁部３３ｃと内側の縁部３３ｄの凸部先端を結んだ延長線により形成できる。
【００３４】
開口部３３は、その上縁３３ａ及び下縁３３ｂが直線状で、その延びる方向の外側の縁部３３ｃ及び内側の縁部３３ｄが円弧状である。耳の後ろの形は丸いので、開口部３３の外側の縁部３３ｃが円弧状であると、開口部３３が耳にフィットしやすくなる。また、開口部３３の外側の縁部３３ｃ及び内側の縁部３３ｄが円弧状であると、開口部３３の外観が印象的にも好ましくなる。
【００３５】
開口部３３は、その延びる方向に沿う上縁３３ａと下縁３３ｂとの間隔が、その延びる方向の外側の端部３３ｃに向けて徐々に広がっている。上縁３３ａと下縁３３ｂとの間隔が、外側の端部３３ｃに向けて徐々に広がっていると、開口部３３を耳に一層掛けやすくなる。また、開口部３３が耳の後ろの形に沿うので、フィット性が良好になる。一方、内側の端部３３ｄに近い部位においては、上縁３３ａと下縁３３ｂとの間隔を小さくすることが、シート材に加わる負荷が少なくなる観点から好ましい。
【００３６】
開口部３３における上縁３３ａと下縁３３ｂとの間隔は、開口部３３の延びる方向の内側の端部３３ｄにおいて、好ましくは３ｃｍ以下であり、特に好ましくは０．１〜１ｃｍである。また、耳への開口部３３の耳への通しやすさ、フィット性、シート材への負担の少なさを向上させる観点から、上縁３３ａと下縁３３ｂとの間隔は、開口部４の延びる方向の外側の端部３３ｃにおいて、好ましくは０．５〜７ｃｍであり、特に好ましくは１〜５ｃｍである。
【００３７】
先に述べたとおり、開口部３３は横方向Ｘへ延びている。開口部３３の延びる方向は、接顔部２０の横方向Ｘに対して傾斜している。傾斜の方向は、開口部３３の横方向Ｘの２つの端部のうち、外側縁部３３ｃ側の仮想延長線が、接顔部２０の横中心線ＣXに近づくような方向である。
【００３８】
以上、図７に示す耳掛け部３０ａに関し、特に説明しない点に関しては、先に述べた実施形態の耳掛け部に関する説明が適宜適用される。
【００３９】
図８（ａ）〜（ｄ）には、図１に示す実施形態のフェイスマスク１０おける直線状切り込み２１の別の実施形態が示されている。切り込み２１を設けることは、図６に示すような装着操作の時に接顔部２０の鼻領域の位置が定めやすいという利点がある。したがって、着用者の鼻梁及び鼻孔が露出できれば、切り込み２１は単なる縦の直線である必要はなく、図８（ａ）〜（ｃ）に示す切り込み形状であってもよい。図８（ａ）に示す切り込みは逆Ｔ字状（Ｔ字を上下逆転させた形状）であり、図８（ｂ）に示す切り込みは十文字状である。図８（ｃ）に示す切り込みは略三角形状である。また、これらの切り込み形状に代えて、図８（ｄ）に示す略三角形状の開口部２１’を設けてもよい。使用しやすさの観点から、例えば図８（ａ）においては、横方向Ｘ（水平方向）の長さ２１ａは１０ｃｍ以下が好ましく、８ｃｍ以下が更に好ましい。使用しやすさと鼻梁及び鼻孔を露出させやすさと息苦しさを低減するという観点からは、縦方向Ｙ（垂直方向）の長さ２１ｂは３〜１０ｃｍが好ましく、５〜８ｃｍが更に好ましい。
【００４０】
図９には、接顔部２０の別の実施形態が示されている。本実施形態においては、接顔部２０の横方向Ｘの各側部域２５ａ，２５ｂが、少なくとも横方向Ｘに伸縮性を有している。側部域２５ａ，２５ｂがこのようになっていることで、接顔部２０の顔面へのフィット性が一層良好になる。側部域２５ａ，２５ｂは少なくとも横方向Ｘに伸縮性を有していることが好ましく、横方向Ｘに加え、縦方向Ｙにも伸縮性を有していることが更に好ましい。つまり、いわゆるツーウエイの伸縮性を有していることが好ましい。側部域２５ａ，２５ｂが伸縮性を有していることとの関連で接顔部の中央域２５ｃは、伸縮性を有していてもよく、あるいは有していなくてもよい。なお、図９において、接顔部２０中に記載されている２本の点線は、側部域２５ａ，２５ｂの概略位置を示すために用いられているものであり、接顔部２０に点線の模様が付与されていたり、接顔部２０にミシン目が設けられていたりすることを意図するものではない。
【００４１】
以上の各実施形態において、接顔部２０は、薄型の可撓性を有する材料から構成されている。そのような材料としては、例えば織布、不織布、編み物地、フィルム、多孔質体、それらの任意の２種以上の組み合わせ等が挙げられる。また、例えば、顔に化粧料を塗布した上からフェイスマスク１０を装着して、パック様の効果を期待するのであれば、ポリエチレンやウレタン等の樹脂フィルムを用いることもできる。そのような各種の材料から構成される接顔部２０を有するフェイスマスク１０は、例えば美容の目的、ヘルスケアの目的、医療の目的、リラックス感を得る目的等に用いられる。また、アイマスクの代わりとして、睡眠時に用いることもできる。更に、本発明のフェイスマスクの使用形態として、美容液やパック材等の化粧料を塗布する、マッサージを行う、若しくはパックシートを貼付する、又はこれらの併用の後に、接顔部２０が前記の材質で構成されたフェイスマスクを、その上から装着するという使用形態もある。このような使用のしかたをすることで、化粧料等による効果を一層高めることができる。
【００４２】
フェイスマスク１０の具体的な用途によっては、接顔部２０の構成材料そのものを、当該用途に応じて適切に選択することができる。例えばフェイスマスク１０を美容の目的、ヘルスケアの目的、医療の目的等で用いる場合には、接顔部２０の構成材料として、美白液、保湿液等の化粧液、医薬品等の含浸や保持が可能な材料を用いることができる。あるいは化粧パック効果を向上させる目的で、閉塞性のある材料であるフィルム材等を用いて接顔部２０を構成することもできる。また、フェイスマスク１０をヘルスケアの目的やリラックス感を得る目的で用いる場合には、接顔部２０の構成材料として、発熱材料や蒸気温熱の発生可能な材料を用いることができる。更に、フェイスマスク１０をアイマスクの代わりに用いる場合には、接顔部２０の構成材料として遮光性材料を用いることができる。経済性及び環境性を考慮して、これらの構成材料を、ポケット等の収容部を有する接顔部２０に着脱可能に装着して用いることもできる。
【００４３】
図１０には、発熱性が付与された接顔部２０を有するフェイスマスク１０の分解斜視図が示されている。このフェイスマスク１０における接顔部２０は、肌対向面を構成する第１のシート２２と、外面を構成する第２のシート２３と、両シート２２，２３の間に介在配置された発熱部２４とを有している。第１のシート２２の外面には、使用前の状態の耳掛け部３０ａ〜３０ｄが積層される。
【００４４】
発熱部２４は４個用いられている。各発熱部２４はいずれも同形であり、平面視して略正方形をしている。これら４個の発熱部２４は、第１のシート２２と第２のシート２３とによって挟持されている。両シート２２，２３は、それらの周縁部において接合されている。また、両シート２２，２３間で発熱部２４の移動が起こらないようにするため、両シート２２，２３を接合することによって、各発熱部２４の収容可能な個々に独立した空間を形成し、その空間内に各発熱部２４を収容することが好適である。これに代えて、発熱部２４の一部と第１のシート２２又は第２のシート２３の一部とを接合してもよい。なお、図１０においては矩形の発熱部２４を４個使用しているが、発熱部２４の形状や個数、配置場所は、フェイスマスク１０の具体的な用途に応じて適宜変更することができる。
【００４５】
後述するように、発熱部２４は被酸化性金属の酸化によって生じる熱を利用しているので、シート２２，２３のうちの少なくとも一方は通気性を有する材料であることが好ましい。
【００４６】
各発熱部２４は、発熱体２４ａと、シート２４ｂと、シート２４ｃとを有している。シート２４ｂは先に説明したシート２２側に位置し、シート１１ｃは、シート２３側に位置している。図１１には発熱部２４の詳細が示されている。同図に示すように、発熱体２４ａは、シート２４ｂ，２４ｃによって挟持されている。発熱体２４ａは、被酸化性金属を含んでおり、この被酸化性金属が酸素と接触することによる酸化反応で生じた熱を利用して、所定温度に加熱された水蒸気を発生する部位である。発熱体２４ａは、被酸化性金属、反応促進剤、電解質及び水を含む。そのような発熱体２４ａは、例えば発熱シート又は発熱粉体からなる。そのような材料は、当該技術分野において公知である。
【００４７】
一方、シート２４ｂは透湿性シートからなる。シート２４ｃは、透湿性シートであるか、又は非透湿性シートである。シート２４ｃが透湿性シートである場合、該透湿性シートの通気性は、透湿性シート２４ｂの通気性よりも低くなっている。シート２４ｂ及びシート２４ｃの通気度を適切に調整することで、シート２４ｂの側から、所定温度に加熱された水蒸気（蒸気温熱）が発生し、それがフェイスマスク１０の着用者の顔面に付与されるようになる。そのような通気度の調整の程度は、当該技術分野において公知である。
【００４８】
図１０に示す実施形態のフェイスマスク１０を装着することで、接顔部２０から発生する蒸気温熱が顔面に付与されて、顔全体が心地よく温まり、顔の表情に表れる疲れを効果的にとることができる。具体的には、蒸気温熱によって三叉神経が心地よく刺激されリラックス感が生じ、また血行が良好になって表情筋が弛緩する。更に、肌にしっとり感が生じ、はりとつやがでる。これらの結果、疲れた表情が豊かな表情となる。このような効果は、蒸しタオルで顔面を温める効果に類似のものである。
【００４９】
本実施形態のフェイスマスク１０における接顔部２０の肌対向面に、化粧液、医薬品等を含浸又は保持させておけば、蒸気温熱に起因する促進作用によって、これらの液等が着用者の肌に浸透しやすくなるという効果が奏される。
【００５０】
図１２には、本発明の他の実施形態が示されている。本実施形態に関し、特に説明しない点については、先に説明した実施形態に関する説明が適宜適用される。また、図１２において、図１ないし図１１と同じ部材には同じ符号を付して、説明を省略してある。
【００５１】
本実施形態のフェイスマスク１０が、先に説明した実施形態と相違する点は耳掛け部の形状である。詳細には、先に説明した実施形態における耳掛け部はシート材から構成されていたのに対し、本実施形態のフェイスマスク１０における耳掛け部は紐状体から構成されている。詳細には、接顔部２０の横方向Ｘの左右の側部の位置に、縦方向に沿って２個ずつ計４個の紐状体からなる耳掛け部３４ａ〜３４ｄが取り付けられている。図１における紙面に向かって左側部には、第１耳掛け部３４ａと第２耳掛け部３４ｂが、縦方向Ｙに沿って取り付けられている。また、同図における紙面に向かって右側部には、第１耳掛け部３４ｃと第２耳掛け部３４ｄが、縦方向Ｙに沿って取り付けられている。縦中心線ＣYに関し、左側部の第１耳掛け部３４ａと右側部の第１耳掛け部３４ｃとは対称の位置に取り付けられている。第２耳掛け部３４ｃ，３４ｄについても同様である。
【００５２】
図１２における紙面の左側に位置する第１耳掛け部３４ａは、これを構成する紐状体の２つの端部が２つの接合部４１ａ，４１ｂにおいて接顔部２０と接合されることで、該接顔部２０に固定されている。第２耳掛け部３４ｂは、接合部４１ｂ，４１ｃにおいて接顔部２０と接合固定されている。一方、図１２における紙面の右側に位置する第１耳掛け部３４ｃは、接合部４２ａ，４２ｂにおいて接顔部２０と接合固定されており、第２耳掛け部３４ｄは、接合部４２ｂ，４２ｃにおいて接顔部２０と接合固定されている。
【００５３】
本実施形態のフェイスマスク１０においては、各耳掛け部３４ａ〜３４ｄを構成する紐状体の２つの端部と接顔部２０との接合位置に特徴の一つを有している。詳細には、各耳掛け部３４ａ〜３４ｄは、紐状体の各端部と接顔部２０とを接合する２つの接合部を結ぶ仮想線が、接顔部２０の横方向Ｘの中央側に向けて傾斜するように、接顔部２０に取り付けられている。例えば第１耳掛け部３４ａについて説明すると、これを構成する紐状体の２つの端部は、接合部４１ａ，４１ｂによって接顔部２０と接合されているところ、これら２つの接合部４１ａ，４１ｂを結ぶ仮想直線４４は、接顔部２０の横方向Ｘの中央側に向けて傾斜している。他の耳掛け部についても同様である。
【００５４】
各耳掛け部３４ａ〜３４ｄがこのような接合状態となっていることで、先に説明した実施形態と同様に、各耳掛け部を着用者の耳に引っかけたときに、接顔部２０を着用者の顔面に引きつけて密着させる力が作用しやすくなる。その結果、接顔部２０を顔面へ安定的に固定することが可能となる。
【００５５】
２つの接合部を結ぶ仮想直線が縦方向Ｙとなす角度は、第１耳掛け部３４ａ，３４ｃ及び第２耳掛け部３４ｂ，３４ｄそれぞれについて、先に述べた実施形態と同様とすることができる。
【００５６】
各耳掛け部３４ａ〜３４ｄを構成する紐状体としては、当該技術分野において従来用いられているものと同様のものを用いることができる。そのような紐状体は一般に伸縮性を有している。
【００５７】
以上、本発明をその好ましい実施形態に基づき説明したが、本発明は前記実施形態に制限されない。例えば前記の各実施形態における接顔部２０は、縦方向Ｙに延びる左右の側縁２０ｃ，２０ｄが括れた形状をしていたが、これに代えて図１３（ａ）及び（ｂ）に示すように、接顔部２０を矩形とすることもできる。また、接顔部を円形ないし楕円形とすることもできる。なお、図１３（ａ）は図１に相当する図であり、図１３（ｂ）は図４に相当する図である。
【００５８】
また、前記の各実施形態においては、接顔部２０が、横中心線ＣXに対して上下対称となっており、左右の側縁２０ｃ，２０ｄの最も括れた部位（最狭部）が横中心線ＣX上に位置していたが、これに代えて、図１４に示すように、接顔部２０は横中心線ＣXに対して上下対称になっていなくてもよい。同図においては、左右の側縁２０ｃ，２０ｄに括れ部が存在し、該括れ部は横中心線ＣXに対して上側に偏倚している。また、図示していないが、括れ部を横中心線ＣXに対して下側に偏倚するようにしてもよい。
【００５９】
更に、前記の各実施形態における接顔部２０に、目や口を露出させるための開口部を設けてもよい。
【符号の説明】
【００６０】
１０  フェイスマスク
２０  接顔部
３０ａ，３０ｃ  第１耳掛け部
３０ｂ，３０ｄ  第２耳掛け部
３４ａ，３４ｃ  第１耳掛け部
３４ｂ，３４ｄ  第２耳掛け部
４０ａ，４０ｂ，４０ｃ，４０ｄ  線状の接合部
４１ａ，４１ｂ，４１ｃ  接合部
４２ａ，４２ｂ，４２ｃ  接合部
【図１】
2010259654.tif 000003
【図２】
2010259654.tif 000004
【図３】
2010259654.tif 000005
【図４】
2010259654.tif 000006
【図５】
2010259654.tif 000007
【図６】
2010259654.tif 000008
【図７】
2010259654.tif 000009
【図８】
2010259654.tif 000010
【図９】
2010259654.tif 000011
【図１０】
2010259654.tif 000012
【図１１】
2010259654.tif 000013
【図１２】
2010259654.tif 000014
【図１３】
2010259654.tif 000015
【図１４】
2010259654.tif 000016